(57)【要約】【課題】安定して段積み可能な蓋体及びその蓋体と容器本体とからなる容器の提供を目的とする。【解決手段】本開示の容器１０では、開封バンド部２２Ｘを切除する前の蓋体２０を積み重ねると、上側の蓋体２０の開封バンド部２２Ｘに下側の蓋体２０の環状突条３５が内側から隣接して凹凸係合する。また、開封バンド部２２Ｘを切除した後の蓋体２０を積み重ねると、上側の蓋体２０の内側嵌合壁２３に下側の蓋体２０の環状突条３５が外側から隣接して凹凸係合する。【選択図】図１１
2020055595.tif 000002
【特許請求の範囲】
【請求項１】
蓋体の一部の開封バンド部を切除すると容器本体から取り外し可能となる蓋体において、
前記開封バンド部が切除される前の切除前状態か、前記開封バンド部が切除された後の切除後状態か、に拘わらず、蓋体同士を段積みしたときに、上下の蓋体同士が嵌合する蓋体。
【請求項２】
前記容器本体と嵌合する嵌合壁と、
蓋体の上面に設けられ、前記切除前状態か前記切除後状態かに拘わらず、蓋体同士を段積みしたときに、前記嵌合壁と嵌合する段積嵌合部と、を備える請求項１に記載の蓋体。
【請求項３】
前記嵌合壁は、前記容器本体の上端部を内外方向で挟む外側嵌合壁と内側嵌合壁とを有し、
前記外側嵌合壁を上下に２分割した下側部分が前記開封バンド部をなし、
上に前記切除前状態の蓋体を重ねたときには前記開封バンド部が蓋体の前記上面に当接し、前記切除後状態の蓋体を重ねたときには前記内側嵌合壁が蓋体の前記上面に当接する請求項２に記載の蓋体。
【請求項４】
前記段積嵌合部は、上方に突出し、上に前記切除前状態の蓋体を重ねたときには前記開封バンド部に内側から嵌合し、前記切除後状態の蓋体を重ねたときには前記内側嵌合壁に外側から嵌合する請求項３に記載の蓋体。
【請求項５】
請求項３又は４に記載の蓋体と容器本体とからなる容器であり、
前記内側嵌合壁は閉環状に形成され、前記蓋体が前記容器本体に嵌合すると、前記内側嵌合壁の外面と前記容器本体の内面とが当接する容器。
【請求項６】
請求項３又は４に記載の蓋体と容器本体とからなる容器であり、
前記蓋体の前記上面には前記嵌合壁より内側に、前記容器本体の下端部が嵌合する嵌合凹部が形成され、
前記嵌合凹部の開口縁部と底部との間の段差壁と前記内側嵌合壁との間に隙間がある容器。
【請求項７】
請求項３又は４に記載の蓋体と容器本体とからなる容器であり、
前記容器本体の上端部に側方へ突出した突起部が設けられる一方、前記蓋体における前記外側嵌合壁には、前記切除前状態か前記切除後状態かに拘わらず前記突起部を受容する受容凹部が形成され、
前記内側嵌合壁の外面のうち前記受容凹部と対向する部分には、前記容器本体の上端部を前記外周壁本体側へ押し込む押込部が突出している容器。
【発明の詳細な説明】
【技術分野】
【０００１】
本開示は、蓋体及びその蓋体と容器本体とからなる容器に関する。
【背景技術】
【０００２】
この種の蓋体として、蓋体の一部の開封バンド部を切除すると容器本体から取り外し可能となるものが知られている（例えば、特許文献１参照）。
【先行技術文献】
【特許文献】
【０００３】
【特許文献１】特開平９−１１００５８号公報（図１）
【発明の概要】
【発明が解決しようとする課題】
【０００４】
上述した蓋体は、蓋体同士を安定して段積みできないという問題があった。これに対し、安定して段積み可能な蓋体及びその蓋体と容器本体とからなる容器の開発が求められている。
【課題を解決するための手段】
【０００５】
上記目的を達成するためになされた請求項１の発明は、蓋体の一部の開封バンド部を切除すると容器本体から取り外し可能となる蓋体において、前記開封バンド部が切除される前の切除前状態か、前記開封バンド部が切除された後の切除後状態か、に拘わらず、蓋体同士を段積みしたときに、上下の蓋体同士が嵌合する蓋体である。
【０００６】
請求項２の発明は、前記容器本体と嵌合する嵌合壁と、蓋体の上面に設けられ、前記切除前状態か前記切除後状態かに拘わらず、蓋体同士を段積みしたときに、前記嵌合壁と嵌合する段積嵌合部と、を備える請求項１に記載の蓋体である。
【０００７】
請求項３の発明は、前記嵌合壁は、前記容器本体の上端部を内外方向で挟む外側嵌合壁と内側嵌合壁とを有し、前記外側嵌合壁を上下に２分割した下側部分が前記開封バンド部をなし、上に前記切除前状態の蓋体を重ねたときには前記開封バンド部が蓋体の前記上面に当接し、前記切除後状態の蓋体を重ねたときには前記内側嵌合壁が蓋体の前記上面に当接する請求項２に記載の蓋体である。
【０００８】
請求項４の発明は、前記段積嵌合部は、上方に突出し、上に前記切除前状態の蓋体を重ねたときには前記開封バンド部に内側から嵌合し、前記切除後状態の蓋体を重ねたときには前記内側嵌合壁に外側から嵌合する請求項３に記載の蓋体である。
【０００９】
請求項５の発明は、請求項３又は４に記載の蓋体と容器本体とからなる容器であり、前記内側嵌合壁は閉環状に形成され、前記蓋体が前記容器本体に嵌合すると、前記内側嵌合壁の外面と前記容器本体の内面とが当接する容器である。
【００１０】
請求項６の発明は、請求項３又は４に記載の蓋体と容器本体とからなる容器であり、前記蓋体の前記上面には前記嵌合壁より内側に、前記容器本体の下端部が嵌合する嵌合凹部が形成され、前記嵌合凹部の開口縁部と底部との間の段差壁と前記内側嵌合壁との間に隙間がある容器である。
【００１１】
請求項７の発明は、請求項３又は４に記載の蓋体と容器本体とからなる容器であり、前記容器本体の上端部に側方へ突出した突起部が設けられる一方、前記蓋体における前記外側嵌合壁には、前記切除前状態か前記切除後状態かに拘わらず前記突起部を受容する受容凹部が形成され、前記内側嵌合壁の外面のうち前記受容凹部と対向する部分には、前記容器本体の上端部を前記外周壁本体側へ押し込む押込部が突出している容器である。
【発明の効果】
【００１２】
請求項１の蓋体によれば、開封バンド部が切除される前の切除前状態か切除された後の切除後状態かに拘わらず、蓋体同士を段積みしたときに上下の蓋体同士が嵌合するので、蓋体同士の段積みを安定させることができる。
【００１３】
請求項２の蓋体では、容器本体と嵌合する嵌合壁が、蓋体同士を段積みしたときに下側の蓋体の段積嵌合部と嵌合する。
【００１４】
請求項３の蓋体によれば、切除後状態の蓋体同士を積み重ねたときの高さが、切除前状態の蓋体同士を積み重ねたときの高さよりも小さくなるので、蓋体同士を積み重ねたときの嵩を減らすことができる。
【００１５】
請求項４の蓋体では、段積嵌合部が蓋体の上面から上方に突出しており、上に切除前状態の蓋体を重ねられたときには開封バンド部に内側から嵌合し、切除後状態の蓋体を重ねられたときには内側嵌合壁に外側から嵌合する。
【００１６】
請求項５の蓋体によれば、蓋体が容器本体に嵌合すると、閉環状の内側嵌合壁の外面と容器本体の内面とが当接するので、容器の密閉性を高めることができる。
【００１７】
請求項６の蓋体によれば、容器同士を重ねたときに蓋体の上面に上側の容器の下端部が嵌合するので、容器同士の段積みを安定させることができる。また、嵌合凹部の段差壁と内側嵌合壁との間に隙間があるので、上側の容器が側方から押される等して嵌合凹部の段差壁に負荷がかかっても、その隙間がクッションの役割を果たし、蓋体と容器本体との嵌合が外れることが抑制される。
【００１８】
請求項７の蓋体によれば、切除前状態か切除後状態かに拘わらず、蓋体が容器本体に嵌合すると容器本体の突起部が蓋体の受容凹部に受容されて、蓋体が容器本体に係止されるので、開封バンドを切除して開封した後でも、蓋体を容器本体に係止させることができる。
【図面の簡単な説明】
【００１９】
【図１】本開示に係る容器の斜視図
【図２】容器の断面図
【図３】容器の一部拡大断面図
【図４】切除前状態の蓋体の側断面図
【図５】容器同士を積み重ねた状態の一部拡大断面図
【図６】切除後状態の蓋体の側断面図
【図７】切除前状態の蓋体同士を積み重ねた状態の一部拡大断面図
【図８】切除後状態の蓋体同士を積み重ねた状態の一部拡大断面図
【図９】切除前状態の蓋体同士を積み重ねた状態の斜視図
【図１０】切除後状態の蓋体同士を積み重ねた状態の斜視図
【図１１】切除前状態の蓋体と切除後状態の蓋体とをばらばらに積み重ねた状態の断面図
【図１２】（Ａ）変形例に係る切除前状態の蓋体同士を積み重ねた状態の一部拡大断面図，（Ｂ）変形例に係る切除後状態の蓋体同士を積み重ねた状態の一部拡大断面図
【図１３】（Ａ）変形例に係る切除前状態の蓋体同士を積み重ねた状態の一部拡大断面図，（Ｂ）変形例に係る切除後状態の蓋体同士を積み重ねた状態の一部拡大断面図
【図１４】（Ａ）変形例に係る切除前状態の蓋体同士を積み重ねた状態の一部拡大断面図，（Ｂ）変形例に係る切除後状態の蓋体同士を積み重ねた状態の一部拡大断面図
【図１５】変形例に係る蓋体の平面図
【図１６】変形例に係る容器同士を積み重ねた状態の一部拡大断面図
【図１７】変形例に係る容器同士を積み重ねた状態の一部拡大断面図
【発明を実施するための形態】
【００２０】
図１には、容器本体１１と、容器本体１１の上面開口１１Ｋ（図２参照）を密閉する蓋体２０と、からなる容器１０が示されている。容器本体１１及び蓋体２０は、何れも例えば樹脂の射出品である。
【００２１】
容器本体１１は、所謂バケツ形状をなし、円板状の底壁１２（図２参照）と、下方へ向かうにつれて僅かに狭まる円筒状の側壁１３と、を有している。図２に示すように、底壁１２は、側壁１３の下端より僅かに上方に配され、側壁１３の下端部が底壁１２よりも下方へ突出した突出部１３Ａとなっている。また、底壁１２の中央部は、上方へ隆起した隆起部１２Ａとなっていて、その下面には環状の突条１２Ｂが下方へ突出している。なお、突条１２Ｂの下端は、底壁１２の本体部分１２Ｃの上面と略同じ高さに位置している。
【００２２】
図２に示すように、容器本体１１の上端寄り位置には、側壁１３の外面から側方へ突出し、全周に亘って延びた三角突条１４が設けられている。図３に示すように、三角突条１４は、水平に延びた下面１４Ａと、下面１４Ａの先端から側壁１３へ斜め上方へ延びた傾斜面１４Ｂと、を有している。また、図２に示すように、側壁１３の外面には三角突条１４よりも下方に第１フランジ１６と第２フランジ１７とが上下に並んで形成されている。三角突条１４と第１フランジ１６との間の距離は、三角突条１４と側壁１３の上端との間の距離よりも少し長くなっている。第２フランジ１７は、容器本体１１の上端から容器本体１１の高さの１／３程離れた位置に配されている。
【００２３】
図３に示すように、容器本体１１の上端には、上端縁から僅かに外方へ突出した突起部１５が形成されている。突起部１５は、容器本体１１の上端全周に亘って設けられ、その上面は容器本体１１の上端面と面一になっている。また、突起部１５は、縦横ともに、側壁１３の板厚の１／４〜１／５程の長さになっている。
【００２４】
図１に示すように、蓋体２０は、容器本体１１と同様、平面形状が円形になっていて、その外縁部に容器本体１１と嵌合するための嵌合壁２１を有している。図４に示すように、嵌合壁２１は、外側嵌合壁２２と内側嵌合壁２３とからなる二重壁構造をなし、これら外側嵌合壁２２と内側嵌合壁２３との間に容器本体１１における側壁１３の上端部が嵌まり、蓋体２０が容器本体１１に嵌合する（図２参照）。また、図４に示すように、内側嵌合壁２３の下端は、外側嵌合壁２２の下端よりも上方に位置している。
【００２５】
図３に示すように、嵌合壁２１のうち外側嵌合壁２２の内面の上端部には、容器本体１１の突起部１５を受容する受容凹部２２Ａが形成されている。一方、内側嵌合壁２３の外面には、受容凹部２２Ａと対向する部分に、容器本体１１の上端部を外側嵌合壁２２側へ押し込む押込部２３Ａが突出している。これにより、容器本体１１の突起部１５が蓋体２０の受容凹部２２Ａに凹凸係合する。
【００２６】
図４に示すように、蓋体２０のうち嵌合壁２１を除く蓋本体２０Ｈでは、嵌合壁２１より僅かに内側位置から外側が水平な外板部２４をなす一方、その内側が外板部２４から陥没した内板部２５になっている。外板部２４と内板部２５との間の段差壁２６は、内側嵌合壁２３との間に隙間を有して配されている。また、段差壁２６は、上方に向かうに従って拡開するように僅かに傾斜していて、上側部分の勾配が下側部分の勾配よりも緩やかになっている。これら段差壁２６と内板部２５とにより蓋本体２０Ｈに嵌合凹部２０Ｋが形成され、図５に示すように、複数の容器１０を段積みした際には、上側の容器１０の下端部が下側の容器１０の嵌合凹部２０Ｋに嵌合する。このとき、例えば上側の容器１０が側方から押される等して段差壁２６に負荷がかかっても、段差壁２６と内側嵌合壁２３との間の隙間がクッションの役割を果たし、蓋体２０と容器本体１１との嵌合が外れることが抑制される。なお、内板部２５は、中央部が外縁部よりも板厚１枚分高くなっていて、その段差面は傾斜している。
【００２７】
図３に示すように、外側嵌合壁２２の内面における上下方向の中間には、内側嵌合壁２３の下端よりも上方に、容器本体１１の三角突条１４を受容可能なＶ溝２７が形成され、Ｖ溝２７の底部が薄肉部２８になっている。Ｖ溝２７の内面のうち上側面２７Ａは、容器本体１１の三角突条１４の傾斜面１４Ｂと平行に延び、下側面２７Ｂは、上側面２７Ａの下端から僅かに傾斜して延びている。図１に示すように、Ｖ溝２７（図３参照）の一部は内外方向に貫通した切り込み２７Ｋになっていて、その切り込み２７Ｋの一端から外側嵌合壁２２の下端に亘って、縦割り用薄肉部２９が備えられている。また、外側嵌合壁２２のうち切り込み２７Ｋの下方部分の下端部からはつまみ片３０が張り出している。つまみ片３０は、外側嵌合壁２２から外側方へ突出したのち下方へ垂下し、さらに垂直に外方へ折れ曲がった形状をしている。
【００２８】
そして、つまみ片３０を持ち、下方へ引き下げることで縦割り用薄肉部２９が破断し、そのまま側方へ引っ張ることで薄肉部２８が破断して、外側嵌合壁２２のうち薄肉部２８より下側の開封バンド部２２Ｘが上側の外側嵌合壁本体２２Ｙに対して引き裂かれて切除される（図６参照）。なお、蓋体２０のうち縦割り用薄肉部２９を挟んでつまみ片３０と反対側の上端部には側方へ張り出した把持片３１が設けられ、この把持片３１と段差壁２６とに指をかけることで、上記引き裂き作業が容易になる。また、図３に示すように、開封バンド部２２Ｘの板厚は外側嵌合壁本体２２Ｙの板厚よりも小さくなっていて、開封バンド部２２Ｘと容器本体１１の側壁１３との間に僅かに隙間が生じている。以降、適宜、開封バンド部２２Ｘが切除される前の蓋体２０の状態を切除前状態といい、開封バンド部２２Ｘが切除された後の蓋体２０の状態を切除後状態という。
【００２９】
図２に示すように、蓋体２０が容器本体１１に嵌合すると、容器本体１１の三角突条１４が蓋体２０のＶ溝２７に係合して蓋体２０が容器本体１１に嵌合固定（所謂、嵌め殺し）される。このとき、開封バンド部２２Ｘの下端面と第１フランジ１６とが僅かな隙間しか残さずに対向している、これにより、開封バンド部２２Ｘの裏側に意図せず何かが引っ掛かり、蓋体２０が外れてしまうことが防がれる。そして、上述の如く開封バンド部２２Ｘが引き裂かれると、蓋体２０が容器本体１１から取り外し可能になる。
【００３０】
図２に示すように、本実施形態の蓋体２０には、蓋本体２０Ｈのうち外板部２４の上面に、閉環状の環状突条３５（特許請求の範囲中の「段積嵌合部」に相当する）が設けられている。環状突条３５は、外側嵌合壁２２と内側嵌合壁２３との間に配されている。そして、図７に示すように、上に切除前状態の蓋体２０が重ねられたときには、外側嵌合壁２２の開封バンド部２２Ｘが外板部２４の上面に当接して、この開封バンド部２２Ｘに環状突条３５が内側から隣接して凹凸係合する。一方、図８に示すように、上に切除後状態の蓋体２０が重ねられたときには、内側嵌合壁２３が外板部２４の上面に当接して、内側嵌合壁２３に環状突条３５が外側から隣接して凹凸係合する。
【００３１】
本実施形態の容器１０の構成に関する説明は以上である。次に、この容器１０の作用効果について説明する。この容器１０は、例えば、染料等の液体や食品を収容して運搬、販売するために使用される。そのためには、収容物が収容された容器本体１１の上端部を蓋体２０の外側嵌合壁２２と内側嵌合壁２３とで挟むようにして蓋体２０を押し込む。すると、外側嵌合壁２２が容器本体１１の三角突条１４に押されて外方へ変形しながら下方へ進み、開封バンド部２２Ｘが三角突条１４を通り過ぎたところで外側嵌合壁２２が弾性復帰して蓋体２０のＶ溝２７が三角突条１４に係止し、蓋体２０が容器本体１１に嵌合固定（所謂、嵌め殺し）される（図２参照）。
【００３２】
容器１０を開封するときは、つまみ片３０を引っ張り、開封バンド部２２Ｘを引き裂き切除することで、Ｖ溝２７と三角突条１４との係止が解除され、蓋体２０を外すことができる。
【００３３】
ここで、本実施形態の容器１０では、開封バンド部２２Ｘが上側の外側嵌合壁本体２２Ｙよりも薄くなっていて、その内径が大きくなっているので、蓋体２０を押し込む際の外側嵌合壁２２の変形量を小さくすることができ、取り付け作業を容易にすることができる。
【００３４】
また、蓋体２０が容器本体１１に嵌合すると、蓋体２０の押込部２３Ａ（図３参照）により容器本体１１の上端部が蓋体２０の外側嵌合壁２２に押し付けられ、容器１０の密閉性が高まるとともに、容器本体１１の突起部１５が蓋体２０の受容凹部２２Ａに係合し、蓋体２０と容器本体１１との係止がより強固になる。さらに、押込部２３Ａにより、内側嵌合壁２３に対して容器本体１１の側壁１３が傾斜することで、内側嵌合壁２３の下端部が容器本体１１の側壁１３に密着するように当接し、容器１０の密閉性がより高められる。しかも、押込部２３Ａや突起部１５、受容凹部２２Ａが、容器本体１１や嵌合壁２１の上端部に配されているので、開封バンド部２２Ｘが切除された後、つまり、容器１０の開封後でも、蓋体２０が容器本体１１に弱めに係止され、振動などにより蓋体２０が外れることが防止されると共に、容器１０の密閉性が保たれる。なお、突起部１５が側壁１３の板厚に比べてかなり小さくなっているので、係止機能を有しながらも、取り外しを容易にすることができる。
【００３５】
ところで、従来のこの種の容器では、蓋体同士が嵌合するようにはなっておらず、蓋体同士を段積みできない、もしくは、段積みしても不安定になっていた。この容器では、取り付け前の蓋体を保管しておく時に蓋体がばらけてしまったり、蓋体を容器本体に取り付ける作業の時に、蓋体をバラバラに置かれている中から取り出す必要があり、手間取ることがあった。
【００３６】
これに対して、本実施形態の容器１０によれば、切除前状態の蓋体２０同士を積み重ねると（図９参照）、上側の蓋体２０の開封バンド部２２Ｘに下側の蓋体２０の環状突条３５が内側から隣接して凹凸係合するので（図７参照）、上側の蓋体２０が横ズレすることが防がれる。これにより、蓋体２０同士を安定して段積みしておくことができるので、切除前状態の蓋体２０の保管が嵩張らずに行える。また、蓋体２０を容器本体１１に取り付ける作業において、蓋体２０を一つずつ手にとることがスムーズになり、作業効率が高められる。なお、切除前状態の蓋体２０においては、つまみ片３０が下方へ突出しているので、裏返して（嵌合壁２１を上方に向けて）積み重ねることが望ましい。また、本実施形態では、つまみ片３０と把持片３１とが横方向でずれて配されているので、蓋体２０を同じ向きで重ねることができる。
【００３７】
また、開封バンド部２２Ｘを切除して容器１０を開封した後にも、例えば容器１０をタッパーとして再利用するためだったり、廃棄のために、切除後状態の蓋体２０同士をまとめて保管しておくことが考えられるが、この場合であっても、切除後状態の蓋体２０同士を積み重ねると（図１０参照）、上側の蓋体２０の内側嵌合壁２３に下側の蓋体２０の環状突条３５が外側から隣接して凹凸係合するので（図８参照）、切除後状態の蓋体２０同士を安定して段積みしておくことができ、保管が容易になる。しかも、切除前状態の蓋体２０では、外側嵌合壁２２の開封バンド部２２Ｘが外板部２４の上面に当接するのに対し、切除後状態の蓋体２０では、内側嵌合壁２３が外板部２４の上面に当接するので、開封バンド部２２Ｘを切除した後に、蓋体２０同士を段積みしたときの嵩を減らすこともできる。なお、切除後状態の蓋体２０では、つまみ片３０が開封バンド部２２Ｘと共に切除されているので、両面どちらを上にしても積み重ねることができる。
【００３８】
なお、容器１０を開封する際に、人によっては、開封バンド部２２Ｘを切除せずに、開封バンド部２２Ｘの下端部を無理矢理外方へ広げて蓋体２０を外すことも考えられる。これに対し、本実施形態によれば、図１１に示すように、切除前状態のものと切除後状態のものとが混ざっていても、互いに段積みできるので、蓋体２０の保管の作業効率をより向上することができる。
【００３９】
［他の実施形態］
（１）上記実施形態では、容器１０の平面形状が円形であったが、楕円形であってもよいし、多角形であってもよい。
【００４０】
（２）上記実施形態では、つまみ片３０が下方へ突出していたが、側方へ突出していてもよい。この場合、切除前状態の蓋体２０同士を積み重ねる際に、両面どちらを上にしても積み重ねることができる。
【００４１】
（３）図１２に示すように、内側嵌合壁２３の下端部が外側嵌合壁２２のＶ溝２７よりも上方に位置していて、切除前状態と切除後状態との両方で、外側嵌合壁２２が下側の蓋体２０と嵌合する構成であってもよい。また、内側嵌合壁２３を有しない構成であってもよい。
【００４２】
（４）上記実施形態では、外側嵌合壁２２の開封バンド部２２Ｘと内側嵌合壁２３とが共に環状突条３５と嵌合していたが、図１３に示すように、外側嵌合壁２２の開封バンド部２２Ｘと嵌合する環状突条３５Ｘと、内側嵌合壁２３と嵌合する環状突条３５Ｙと、を別個に備える構成であってもよい。
【００４３】
（５）図１４に示すように、内側嵌合壁２３の下端が外側嵌合壁２２の開封バンド部２２Ｘの下端よりも下方に位置していて、切除前状態と切除後状態との両方で、内側嵌合壁２３が下側の蓋体２０と嵌合する構成であってもよい。
【００４４】
（６）上記実施形態では、蓋体２０同士を積み重ねたときに上側の容器１０の下端部が嵌合する嵌合凹部２０Ｋが形成されていたが、この嵌合凹部２０Ｋが形成されず、蓋体２０の上面が平坦になっていてもよい。
【００４５】
（７）上記実施形態では、蓋体２０同士を積み重ねたときに、下側の蓋体２０と嵌合するのが容器本体１１に嵌合する嵌合壁２１であったが、嵌合壁２１以外の箇所が嵌合してもよい。例えば、蓋体２０の下面に、嵌合壁２１とは別に、下側の蓋体２０と嵌合する突起を備える構成であってもよい。
【００４６】
（８）上記実施形態では、蓋体２０の上面に、上に積み重ねられた蓋体２０と嵌合する環状突条３５が設けられていたが、嵌合溝を備える構成であってもよい。
【００４７】
（９）上記実施形態では、上に積み重ねられた蓋体２０の嵌合壁２１と嵌合するのが、閉環状の突条であったが、開環状の突条であってもよいし、複数個所に形成された突起であってもよい。同様に、内側嵌合壁２３も、開環状であってもよいし、複数個所に形成された突起であってもよい。
【００４８】
（１０）上記実施形態では、段差壁２６において、上側部分と下側部分とで勾配が異なっていたが、勾配に変化がなくてもよい。また、段差壁２６が垂直に延びていてもよい。
【００４９】
（１１）図１５〜図１７に示すように、段差壁２６から内側へ向けてリブ２０Ｌが複数本（例えば、６本）突出していて、容器１０同士を段積みしたときに嵌合凹部２０Ｋに受容された上側の容器１０の下端部が、リブ２０Ｌに当接又は近接する構成であってもよい。図１５及び図１６に示す例では、リブ２０Ｌが直線状をなし、上側の容器１０の側壁１３に近接して、上側の容器１０の横ずれを規制する。なお、図１６は、段積みされた容器１０を図１５におけるＡ−Ａ線の位置で切断した断面図である。図１７に示す例では、リブ２０ＬがＬ字状をなし、上側の容器１０の横ずれを規制するとともに、上側の容器１０を下から支持する構成になっている。また、リブ２０Ｌが段差壁２６の下部からしか突出しておらず、リブ２０Ｌが上側の容器１０を下から支持し、段差壁２６が上側の容器１０の側壁１３に近接する構成であってもよい。
【符号の説明】
【００５０】
１０    容器
１１    容器本体
１３    側壁
１４    三角突条
１５    突起部
２０    蓋体
２０Ｈ    蓋本体
２０Ｋ    嵌合凹部
２１    嵌合壁
２２    外側嵌合壁
２２Ａ    受容凹部
２２Ｘ    開封バンド部
２２Ｙ    外側嵌合壁本体
２３    内側嵌合壁
２３Ａ    押込部
２７    溝
３５    環状突条（段積嵌合部）
【図１】
2020055595.tif 000003
【図２】
2020055595.tif 000004
【図３】
2020055595.tif 000005
【図４】
2020055595.tif 000006
【図５】
2020055595.tif 000007
【図６】
2020055595.tif 000008
【図７】
2020055595.tif 000009
【図８】
2020055595.tif 000010
【図９】
2020055595.tif 000011
【図１０】
2020055595.tif 000012
【図１１】
2020055595.tif 000013
【図１２】
2020055595.tif 000014
【図１３】
2020055595.tif 000015
【図１４】
2020055595.tif 000016
【図１５】
2020055595.tif 000017
【図１６】
2020055595.tif 000018
【図１７】
2020055595.tif 000019